(57)【要約】      （修正有）【課題】従来の墓石本体の一部に中空部を形成し、前記中空部の開口部に開け閉めが自由にできる扉部を備え、前記中空部の内部には立体像を取り出しが自由な状態で取り付けられる前記立体像を外部から目視できる墓石であるのに対して、墓石の一部に形成した中空部に立体像を内蔵した墓石用筐体を提供する。【解決手段】墓石本体の一部に中空部を形成し、該中空部に立体像３を内蔵する墓石用筐体２Ａを着脱自在に挿入し、前記墓石用筐体２Ａに内蔵した立体像３を外部から視認可能とされることを特徴とする。【選択図】図３
2016108918.tif 000002
【特許請求の範囲】
【請求項１】
墓石本体と該墓石本体の下方向の面に切削加工により形成される中空部と該中空部に着脱自在に挿入される筐体であって、該筺体は立体像を内蔵されることを特徴とする墓石用筐体。
【請求項２】
前記墓石用筐体は、側面部の周面を透明体として形成され、前記筐体に内蔵した立体像を外部から視認可能とされることを特徴とする請求項１記載の墓石用筐体。
【請求項３】
前記墓石用筐体は、平面が三角形状を呈することを特徴とする請求項１又は２に記載の墓石用筐体。
【請求項４】
前記墓石用筐体は、平面半円形状を呈することを特徴とする請求項１乃至３いずれかに記載の墓石用筐体。
【請求項５】
前記立体像は、人物像、愛玩動物像又は小間物類の立体像とされることを特徴とする請求項１乃至４のいずれかに記載の墓石用筐体。
【請求項６】
前記墓石用筐体は、内蔵した立体像を交換可能とされることを特徴とする請求項１乃至５のいずれかに記載の墓石用筐体。
【請求項７】
前記墓石用筐体は、墓石の近傍に設置されることを特徴とする請求項１乃至６のいずれかに記載の墓石用筐体。
【発明の詳細な説明】
【発明の詳細な説明】
【技術分野】
【０００１】  本発明は、墓石の改良に関し、特に墓石の一部に形成した中空部に故人又は愛玩動物等の立体像を内蔵した筐体を挿入し設置される墓石用筐体に関する。
【背景技術】
【０００２】  従来は、墓石の一部に中空部を形成し、前記中空部の開口部に開閉自在の扉部を備え、前記中空部の内部には立体像を着脱自在に設置して前記立体像を外部から目視できる墓石があった。【０００３】  特許文献１は、厚さ３センチメートル程度の透明なクリスタルガラスの内部に遺影を立体影像としてレーザー彫刻加工をなし、墓碑として墓地面に設置固定し、墓碑の遺影を立体影像として視覚に訴える旨が記載されている。特許文献２は、故人の戒名等の文字とともに遺影や肖像を墓誌本体に直接に彫り込むことで、長い年月にわたり見栄えよく表示でき、墓誌本体と台石とを着脱自在にし、墓誌本体に絵を彫り込む旨の提案が記載されている。
【先行技術文献】
【特許文献】
【０００４】
【特許文献１】特開２０１０−１９６４５３公報
【特許文献２】特開２００１−６５２０３公報
【０００５】
【発明の概要】
【発明が解決しようとする課題】
【０００６】  従来は、墓石の一部に中空部を形成し前記中空部の開口部に開閉自在の扉部を備え、前記中空部の内部には立体像を着脱自在に設置して前記立体像を外部から目視できる墓石であることから、墓石の一部に中空部を形成するための墓石本体に中空部を形成するための切削加工の処理が必要となり、切削加工により形成された中空部内に雨水が溜るのを防ぐために開口部に扉部が設置されるとともに、中空部の底面部を傾斜面に形成する等の切削加工処理が必要になる課題がある。【０００７】  本発明は、墓石の一部に形成した中空部に挿入自在の立体像を内蔵した墓石用筐体の提供を目的とする。
【課題を解決するための手段】
【０００８】  上記の課題を解決するための本発明の第１の手段は、墓石本体と該墓石本体の下方向の面に切削加工により形成される中空部と該中空部に着脱自在に挿入される筐体であって、該筺体は立体像を内蔵されることを特徴とする墓石用筐体である。【０００９】  第２の手段は、前記墓石用筐体は、側面部の周面を透明体として形成され、前記筐体に内蔵した立体像を外部から視認可能とされることを特徴とする請求項１記載の墓石用筐体である。【００１０】  第３の手段は、前記墓石用筐体は、平面が三角形状を呈することを特徴とする請求項１又は２に記載の墓石用筐体である。【００１１】  第４の手段は、前記墓石用筐体は、平面半円形状を呈することを特徴とする請求項１乃至３いずれかに記載の墓石用筐体である。【００１２】  第５の手段は、前記立体像は、人物像、愛玩動物像又は小間物類の立体像とされることを特徴とする請求項１乃至４のいずれかに記載の墓石用筐体である。【００１３】  第６の手段は、前記墓石用筐体は、内蔵した立体像を交換可能とされることを特徴とする請求項１乃至５のいずれかに記載の墓石用筐体である。【００１４】  第７の手段は、前記墓石用筐体は、墓石の近傍に設置されることを特徴とする請求項１乃至６のいずれかに記載の墓石用筐体である。【００１５】  第１の手段では、墓石本体と該墓石本体の下方向の面に切削加工により形成される中空部と該中空部に着脱自在に挿入される墓石用筐体であって、該墓石用筺体は立体像を内蔵されるとともに、前記墓石用筐体を簡単に交換できる。また、墓石用筐体の交換に伴い内蔵の立体像の交換も可能とされる。【００１６】  第２の手段では、前記墓石用筐体は、側面部の周面を透明体として形成され、前記筐体に内蔵した立体像を外部から視認可能とされるとともに、前記墓石用筐体と併せて立体像の交換が簡単に交換できる。【００１７】  第３の手段では、前記墓石用筐体は、平面が三角形状を呈することを特徴とする請求項１又は２に記載の墓石用筐体であることから、墓石本体に形成された中空部の平面形状が三角形状を呈する場合に容易に対応できる。【００１８】  第４の手段では、前記墓石用筐体は、平面半円形状を呈することを特徴とする請求項１乃至３いずれかに記載の墓石用筐体であることから、墓石本体に形成された中空部の平面形状が平面半円形状を呈する場合に容易に対応できる。【００１９】  第５の手段では、前記立体像は、人物像、愛玩動物像又は小間物類の立体像とされることを特徴とする請求項１乃至４のいずれかに記載の墓石用筐体であり、立体像である人物像、愛玩動物像又は小間物類を外部から視認できる。これにより、故人又はペット等への愛着感又は親近感を瞬時に抱かせる。【００２０】  第６の手段では、前記墓石用筐体は、内蔵した立体像を交換可能とされることを特徴とする請求項１乃至５のいずれかに記載の墓石用筐体であり、前記墓石用筐体の交換により、前記墓石用筐体に内蔵する立体像の交換が簡単に交換できる。【００２１】  第７の手段では、前記墓石用筐体は、墓石の近傍に設置されることを特徴とする請求項１乃至６のいずれかに記載の墓石用筐体であり、前記墓石用筐体は、墓石の近傍に設置されることから、墓石の一部に中空部を設��る必要がないため、墓石自体への切削加工も必要がなく、内蔵した立体像を視認できる。さらに、墓石本体に切削加工をすることができない個々の事情等がある場合であっても立体像を内蔵する墓石用筐体を設置できる。
【発明の効果】
【００２２】  本発明によれば、故人を墓参する場合は、立体像から故人の在りし日のお姿に接し、親しみとともに、立体像の外観から新たな印象を受け、ご先祖様への尊敬の念を増大させるとともに、墓石用筐体を交換が簡単に行うことができる効果を奏する。【００２３】  本発明によれば、墓石の近傍に本発明に係る墓石用筐体を設置されることから墓石自体への切削加工処理を不要とし、従前の墓石等に彫り込まれた俗名又は戒名とあわせて本発明に係る立体像も墓参することが可能となり、故人等への敬意、尊厳及び愛着の念を惹起させる相乗効果を奏する。
【図面の簡単な説明】
【００２４】
【図１】発明の実施の形態に係る墓石を示す正面図である。
【図２】発明の実施の形態に係る墓石を示すＡ−Ａ線断面図である。
【図３】発明の実施の形態に係る墓石の中空部に挿設する墓石用筐体を示す斜視図である。
【図４】（１）（２）（３）発明の実施の形態に係る墓石の中空部の平面形状を示す平面図及び斜視図である。
【図５】発明の実施の形態に係る墓石の近傍に墓石用筐体を設置した状態を示す側面図である。
【図６】（１）発明の実施の形態に係る墓石用筐体の構成を示す斜視図である。（２）発明の実施の形態に係る墓石用筐体の他の構成を示す斜視図である。
【図７】発明の実施の形態に係る立体像の背面概略図である。
【図８】（１）（２）発明の実施の形態に係る立体像への照明されている状態を示す概略図
【図９】発明の実施の形態に係る洋型墓石に墓石用筐体を設置した状態を示す側断面図である。
【図１０】発明の実施の形態に係る芝生型墓石に墓石用筐体を設置した状態を示す平面図である。
【発明を実施するための形態】
【００２５】本発明の好適な実施の形態を図面に基づき説明する。
（図面の説明）
図１乃至図１０は、本発明の実施の形態を示すものである。
図１は墓石本体の外観正面図、図２はＡ−Ａ線側面図、図３は墓石用筐体を示す斜視図、
図４は墓石本体に形成される中空部の平面形状を示す平面概略図、図５は墓石本体１の近傍に墓石用筐体を設置した状態を示す側面図、図６（１）は墓石用筐体の構成を示す斜視図、図７は立体像の概略背面図、［図８］（１）は立体像を下方向からＬＥＤ照明により照らし出している状態を示す概略図、［図８］（２）は立体像を墓石用筐体に内蔵した状態で下方向からＬＥＤ照明により照らし出している状態を示す概略図、図９は洋型墓石に本発明に係る墓石用筐体を設置した状態を示す概略側断面図、図１０は芝生型墓石に本発明に係る墓石用筐体を設置した状態を示す概略平面図である。
【００２６】（墓石本体１及び墓石用筐体２Ａの構成）
本実施の形態における墓石本体１は、図１に示すように、和型墓石本体１の正面視側の下方向の一部に中空部２を凹設して構成される。墓石本体１の下方向の面に切削加工により形成される中空部２と中空部２に着脱自在に挿入される墓石用筐体２Ａである。墓石用筐体２Ａには立体像３が内蔵される構成である（請求項１）。図１は、墓石本体１の形態が和型墓石の形態であらわされているが、一般的には、公営墓地又は霊園における例えば洋型墓石に指定する旨等の場合を除き、墓石の形態について制限は設けられていない。
【００２７】  本実施の形態における墓石本体墓石用筺体２Ａに内蔵した立体像３は、外部から視認可能とされる構成である。一方、墓石の形態の種類は、「和型墓石」、「洋型墓石」、「芝生型墓石」さらには「デザイン型墓石」などがあり、本実施の形態において、墓石本体１の形態は和型墓石に限定されるものではなく、後述する「洋型墓石」の他「芝生型墓石」さらには「デザイン型墓石」にも実施可能である。
【００２８】（墓石用筺体２Ａの構成）
墓石用筺体２Ａは、図２に示すように、墓石本体１の下部に凹設される中空部２に着脱自在に挿設される。墓石用筺体２Ａには、後述する立体像３を内部に備え付けることが可能な高さと広さからなる構成である。
【００２９】  墓石用筺体２Ａは、周面の一部又は全周面を透明体として形成し、墓石用筺体２Ａに内蔵した立体像３を外部から視認可能とされる構成である（請求項２）。さらに、墓石用筺体２Ａは、図４（１）（２）に示すように、中空部２の平面が三角形状を呈する場合にそれに符合させ、着脱自在に挿入される墓石用筺体２Ａの平面形状も三角形状にされる構成である（請求項３）。さらに、墓石用筺体２Ａは、図４（３）に示すように、中空部２の平面が半円形状を呈する場合にそれに符合させ、着脱自在に挿入される墓石用筺体２Ａの平面形状も半円形状にされる構成である（請求項４）。
【００３０】（立体像３の構成）
立体像３は、図３に示すように人物像、愛玩動物像又は小間物類の立体像とされる構成である（請求項５）。立体像３は、３次元構造データに基づいて３Ｄプリンタにより立体的に作製される。ここで愛玩動物の立体像３は、具体的には、猫又は犬等であり、３Ｄプリンタで生前の姿が作製される（請求項５）。
【００３１】  立体像３は高さは略８から１５センチメートル、横幅略３から１０センチメートルである。一方、３Ｄプリンタで形成したものでも、人形師により形成したもののいずれでもよい。さらに、立体像３の材質は、ガラス、金属、プラスチック、木製等のいずれでもよい。
【００３２】  墓石用筺体２Ａに内蔵した立体像３は、例えば法要において特定の故人を墓参する場合は、３Ｄプリンタにより形成される当該故人の立体像３とともに故人が生前愛用した万年筆、ゴルフクラブ、コーヒーカップ等の小間物類の立体像３に適宜交換し墓石用筺体２Ａに設置できる構成である（請求項６）。
【００３３】（墓石用筺体２Ａの設置態様）
墓石用筺体２Ａは、墓石本体１の一部に中空部２を設けることができない特段の事情又は中空部２を形成する切削加工の手間を省く等の事情等に基づき、墓石本体１の近傍に設置し、墓石用筺体２Ａに内蔵させた立体像３が外部から視認できる構成である（請求項７）。
【００３４】（中空部３の形成方法）
中空部２は、既に霊園又は墓場に設置された墓石本体１に形成される場合は、石材加工により中空部２に設置される立体像３とともに墓石用筺体２Ａが挿設できる寸法に設定して切断工具により切削加工により形成される。具体的には、電動回転式カッターに切削加工用の刃先（工業用ダイヤモンド）を取り付けて中空部２が切削加工により形成される。
【００３５】  上記は、既に設置された墓石本体１への中空部２の形成について説明したが、新規に墓石本体１を作成する場合は、墓石本体１を切削加工する過程で中空部２を切削加工により形成することができる。さらに、図９又は図１０に示す他の実施形態である洋型墓石本体１又は芝生型墓石本体１に中空部２を形成する場合も、上記の切削加工により形成される。
【００３６】（墓石用筺体２Ａの構造及び取り付け方法）
墓石用筺体２Ａの基本的な全体的形状は、図３に示すように直方体を基本的構成態様とする。墓石用筺体２Ａの周面は透明のアクリル板であり、外部から視認可能な構成である。
また、墓石用筺体２Ａの材質は、金属、プラスチック、木製等いずれでもよい。
【００３７】  墓石用筺体２Ａの正面側は透明体に形成され、外部から視認できる構成である。墓石用筺体２Ａは図６（１）及び図６（２）に示すように上面部２１が開閉自在の構成である。さらに、墓石用筺体２Ａは内部に雨水が侵入されない構成である。
【００３８】  後述する立体像３の底部に磁石を埋設又は添着して磁性化されている場合は、墓石用筺体２Ａの底面部２２は金属製の材質に形成し立体像３を固着させるようにしてもよい。他方、墓石用筺体２Ａの底面部２２に磁性を帯びさせる構造とし、立体像３の底部に金属を埋設又は添着させるようにしてもよい。
【００３９】（立体像３の形態及び墓石用筺体２Ａへの取り付け方法）
立体像３は、人物像、愛玩動物像以外に生前愛用していた小間物類も含まれる。具体的には、ゴルフクラブ、喫煙パイプ、筆、万年筆等の筆記用具、野球用グローブ、スパイク、草履等の履物類、パレット画材具等である。これらの生前愛用の小間物類は、３Ｄプリンタで形成される。立体像３の背面は平面に形成され、図７に示すように立体像３が人物像の場合は背面に俗名、戒名、生年月日、没年等を記入又は刻むように形成される。また、図示しないが、愛玩動物の場合は、ペットの名前、没年等を記入又は刻むように形成される。図示しないが万年筆等の愛用品についても使用者の氏名等を記入される。
【００４０】  図６（２）に示すように係る墓石用筺体２Ａの上面部２１に立体像３に内蔵する人の俗名等を記入又は刻銘される。立体像３は、墓石用筺体２Ａの底部に接着剤（図示しない）で固着される。例えば、人物の立体像３の場合は足裏又は足の部分に、両面接着剤で固着されるようにしてもよい。さらに、ねじ等の部材で固着されるようにしてもよい。立体像３の底部に磁石を埋設又は添着させ、墓石用筺体２Ａの底面と付着させるようにしてもよい。例えば、人物の立体像３の場合は足裏又は足の部分に、磁石を埋設又は添着されるようにしてもよい。さらに、ねじ等の部材で固着されるようにしてもよい。
【００４１】  立体像３は、図８（１）及び図８（２）に示すようなＬＥＤ照明台５に立体像３を載せて立体像３の下方向（図８（１）及び図８（２）に示す下方向からの矢印参照）からＬＥＤ４により照らし出される。ＬＥＤ照明台５は光を透過する部材により形成され、具体的にはアクリル材又はプラスチック材から形成される。ＬＥＤ照明台５は図示しないが、電池を電源とする装置により構成される。ＬＥＤの消灯はＬＥＤ照明台５の上に立体像３を載せた状態では点灯し、逆に立体像３をＬＥＤ照明台５から取り外せば消灯するように構成される。
【００４２】  立体像３は図８（１）に示すように墓石用筺体２Ａに内蔵しない状態で中空部２へ設置される。他方、図８（２）に示すように墓石用筺体２Ａに立体像３を内蔵させた状態で中空部２へ墓石用筺体２Ａを挿設される。
【００４３】（墓石用筺体２Ａのメンテナンス方法）
墓石用筺体２Ａの内部に設置された立体像３の交換は、墓石用筺体２Ａを中空部２から外部に取り出すことにより行われる。墓石用筺体２Ａの立体像３を底面部に接着剤で固着した場合は接着剤を剥離し、別の新たな立体像３に置き換える。さらに、立体像３を内蔵した墓石用筺体２Ａ自体を他の立体像３を内蔵した墓石用筺体２Ａと交換する場合は、中空部２から墓石用筺体２Ａを外部に取り出し、別の墓石用筺体２Ａと交換することにより行われる。
【００４４】  墓石本体１に墓石用筺体２Ａを常設している場合は、立体像３の交換及び清掃等は、墓参りの際に行うことも可能であり、委託業者に委託して行うことも可能である。
【００４５】  墓石本体１の中空部２に立体像３を内蔵した墓石用筺体２Ａを常設されない場合は、法要等の行事が終了後、墓石用筺体２Ａを持ち帰ることができる。墓石用筺体２Ａを持ち帰る場合は、立体像３を内蔵されない墓石用筺体２Ａのみを墓石本体１における中空部２に装着し、雨水又は埃等が入らないようにさせる。上記の墓石用筺体２Ａの設置又は交換等のメンテナンス作業は委託業者に委託して行うようにしてもよい。
【００４６】（立体像３のメンテナンス方法）
墓石用筺体２Ａへ取り付けた立体像３の交換は、図６（１）及び図６（２）に示すように、墓石用筺体２Ａの上面部２１を開けて、内部から立体像３を取り出すことにより行われる。立体像３の取り出し方法は、図６（１）に示すように蝶番（図示しない）を介して上面部２１を開閉させる方法、又は図６（２）に示すように上面部２１をとりはずすことにより行われる。
【００４７】  立体像３の補充又は交換は、墓石本体１に墓石用筺体２Ａを常設する場合は、霊園又は墓場において墓石本体１の中空部２に挿設された墓石用筺体２Ａを外部に取り出すことにより行われる。法要等の行事にあわせて、特定故人の人物像とともに愛用品等の立体像３を墓石用筺体２Ａへ設置する。法要が終了後は、墓石用筺体２Ａを持ち帰ることができる。また、上記立体像の交換又は保管等のメンテナンス作業は委託業者に委託して行うようにしてもよい。
【００４８】  上記に本発明の実施形態について説明したが、これらの実施形態は、例として提示したものであり、発明の範囲を限定するものではない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４９】１    墓石
２    中空部
２Ａ  墓石用筐体
２１  上面部
３    立体像
４    ＬＥＤ照明
５    ＬＥＤ照明台
【図１】
2016108918.tif 000003
【図２】
2016108918.tif 000004
【図３】
2016108918.tif 000005
【図４】
2016108918.tif 000006
【図５】
2016108918.tif 000007
【図６】
2016108918.tif 000008
【図７】
2016108918.tif 000009
【図８】
2016108918.tif 000010
【図９】
2016108918.tif 000011
【図１０】
2016108918.tif 000012